(57)【要約】 【課題】  刃先を短辺方向に湾曲させて曲線となし得る打ち抜き刃を提供する。【解決手段】  この打ち抜き刃３は、従来の略四辺形であって、一方の長辺が刃先１となり、この刃先１に対向する他方の長辺が背２となっている。背２から刃先１に向けて複数のスリット４，４・・・が設けられている。背２には各スリット４，４・・による各間隙５，５・・・が形成されている。各スリット４，４・・・は刃先１まで至らずに、その終端が略円形状孔６，６・・・となっている。この打ち抜き刃３は、背２に形成された間隙５を拡げ又は縮めることにより、刃先１を短辺方向に湾曲させて曲線となし得る。そして、打ち抜き刃３は金属製であるので、曲線を形成した後に、背２に受下駄７を合致させて溶接で固定することができる。この打ち抜き刃３で、端縁が高さ方向に曲線となっている食品用トレイ等を打ち抜けば、トレイの端縁は当初の曲線状態のまま打ち抜かれる。【選択図】  図４
2006015445.tif 000002
【特許請求の範囲】
【請求項１】
略四辺形の一方の長辺が刃先となり、該一方の長辺に対向する他方の長辺が背となっている金属製打ち抜き刃であって、該背から該刃先に向けて複数のスリットが設けられており、該背には各スリットによる各間隙が形成されており、該各スリットは該刃先まで至らずに、その終端が略円形状孔となっていることを特徴とし、各間隙を拡げ又は縮めることによって、刃先を短辺方向に湾曲させて曲線とすることができる打ち抜き刃。
【請求項２】
請求項１記載の打ち抜き刃の背に形成された各間隙を拡げ又は縮めて、刃先が短辺方向に湾曲して曲線となっていると共に、背も同様の曲線となっている状態で固定されてなることを特徴とする打ち抜き刃。
【請求項３】
刃先の曲線と同様の曲線を持つ受下駄を、打ち抜き刃の背の曲線と合致させて溶接することによって、刃先が短辺方向に湾曲して曲線となった状態で固定されてなる請求項２記載の打ち抜き刃。
【請求項４】
さらに、長辺方向にも刃先が湾曲して曲線となっている請求項２記載の打ち抜き刃。
【請求項５】
食品用トレイを打ち抜くための請求項２記載の打ち抜き刃。
【請求項６】
請求項２記載の打ち抜き刃を設けた打ち抜き台と、刃先の曲線が合致する曲面を備えた受け台とを対向させ、該受け台の曲面に合致する成形部を備えた成形品を、該受け台上に載置した後、該打ち抜き刃を該受け台の曲面に押圧することにより、該成形部を打ち抜くことを特徴とする成形品の打ち抜き方法。
【請求項７】
成形品が食品用トレイである請求項６記載の成形品の打ち抜き方法。
【発明の詳細な説明】
【技術分野】
【０００１】
本発明は、各種物品を打ち抜く際に用いる打ち抜き刃に関し、刃先が打ち抜き方向に曲線となっている点に特徴を有する打ち抜き刃に関するものである。
【背景技術】
【０００２】
従来より、シート状物や成形品などの各種物品を打ち抜くことが行われており、このとき、打ち抜き刃が用いられている。例えば、シート状物から円形状や長方形状等の物品を打ち抜くには、打ち抜き刃の刃先で形成される線が円形や長方形となっているものを用いればよい。また、その他の曲線で囲まれた物品を打ち抜くには、刃先で形成される線が、それに対応する曲線を持つ打ち抜き刃を用いればよい。このような打ち抜き刃３は、図１（ａ）に示すように、打ち抜き方向には刃先１は直線となっている。一方、打ち抜き方向と直交する方向では刃先１は、図１（ｂ）に示すように、曲線となっている。このような打ち抜き刃３は、長辺の一方が刃先１となっている略四辺形の刃物において、長辺を折り曲げるようにして湾曲させれば、容易に得ることができる。なお、本件明細書において、打ち抜き方向と直交する方向で刃先１が曲線となっている場合、この曲線を曲線Ｂということもある。
【０００３】
一方、図２に示す如く、打ち抜き方向に刃先１が湾曲して曲線となっている打ち抜き刃が必要とされることもある。例えば、食品用トレイの鍔部が、トレイの高さ方向に湾曲している場合には、このような打ち抜き刃が必要となる。食品用トレイの鍔部に、このような湾曲を与える理由は、食品用トレイの意匠性からである。なお、本件明細書において、打ち抜き方向に刃先１が曲線となっている場合、この曲線を曲線Ａということもある。
【０００４】
従来より、食品用トレイの鍔部を、その高さ方向に湾曲することは行われている。このような食品用トレイは、合成樹脂の一般的な成形方法、例えば射出成形やプレス成形等の方法によって成形されるものであり、複数個の食品用トレイが鍔部で連結した一体物として得られる。そして、鍔部の連結を打ち抜き刃３で切断することによって、一個の食品用トレイが打ち抜かれることになる。
【０００５】
このような打ち抜きの際、図１に示したような、打ち抜き方向に湾曲していない、すなわち、打ち抜き方向に対して刃先１が直線となっている打ち抜き刃３が用いられていた。したがって、鍔部の湾曲状態を維持したまま、鍔部を切断することができないため、鍔部の端縁（打ち抜き刃３の当たる箇所）を湾曲状態にできず、食品用トレイの高さ方向に水平な直線状態のものしか得られなかった。すなわち、食品用トレイの高さ方向に湾曲した鍔部を持っているが、鍔部の端縁は水平なバリ状の如きものが付いている状態となり、このような食品用トレイは意匠性に欠けるものであった。
【０００６】
一方、図２に示したような打ち抜き刃３を用いれば、鍔部の端縁まで湾曲状態を維持することができ、前記した欠点を解消しうる。しかしながら、このような打ち抜き刃３は大量生産されるものではなく、種々の異なった曲線Ａを持つものが一品生産的に作成されるため、その作成が困難であるということがあった。同一の曲線Ａを持つ打ち抜き刃３を大量生産によって作成するのであれば、特別に設計された研削機を用いれば良いのであるが、一品生産であれば、このような研削機を設計及び製造することは、不合理である。なお、刃先１が曲線Ａとなっている打ち抜き刃３が特許文献１に記載されているが、打ち抜き刃の製造方法については一言も触れられていない。
【０００７】
【特許文献１】特開２００１−１７０７１６公報
【発明の開示】
【発明が解決しようとする課題】
【０００８】
そこで、本発明は、略四辺形でその長辺が刃先となっている従来の打ち抜き刃に、特別な工夫を施すことにより、刃先を湾曲させて種々の曲線Ａを形成しうるようにしたものである。
【課題を解決するための手段】
【０００９】
すなわち、本発明は、略四辺形の一方の長辺が刃先１となり、刃先１に対向する長辺が背２となっている金属製打ち抜き刃３であって、背２から刃先１に向けて複数のスリット４，４・・・が設けられており、背２には各スリット４による間隙５が形成されており、各スリット４は刃先１まで至らずに、その終端が略円形状孔６となっていることを特徴とする打ち抜き刃３に関するものである。そして、打ち抜き刃３の背２に形成された各間隙５，５・・・を拡げ又は縮めることによって、刃先１を短辺方向に湾曲させて曲線Ａを形成しうるようにしたものである。
【００１０】
図３は、従来の略四辺形で、その長辺が刃先１となっている打ち抜き刃３に、本発明に係る工夫を施したものである。これを説明すると、以下のとおりである。まず、刃先１に対向する背２に、複数のスリット４，４・・・が設けられている。各スリット４，４・・間の間隔は任意であり、所望の曲線Ａを刃先１が形成するように設ければよい。各スリット４は、背２から刃先１に向けて設けられているが、刃先１までには至らない。各スリット４の長さも任意であり、刃先１が所望の曲線Ａを形成するような長さとすればよい。
【００１１】
スリット４，４・・・を設けることによって、背２には間隙５が形成される。この間隙５の大きさ（スリット４によって形成されたスリット幅のこと）も任意であり、刃先１が所望の曲線Ａを形成するような大きさとすればよい。図３に示した打ち抜き刃３における間隙５は、中央部において大きな間隙５，５・・・が設けられており、両端では小さな間隙５，５・・・が設けられている。大きな間隙５，５・・・は、これを縮めることによって、刃先１を外方へ湾曲した曲線となしうる。また、小さな間隙５，５・・・は、これを拡げることによって、刃先１を内方へ湾曲した曲線となしうる。すなわち、刃先１を外方へ湾曲させたい場合には、その位置に対向する背２の間隙５，５・・・を大きくすればよいし、刃先１を内方へ湾曲させたい場合には、その位置に対向する間隙５，５・・・を小さくすればよい。この説明から理解されるとおり、間隙５を拡げる場合には、その間隙の大きさは最小限でよく、単に切り目が設けられている程度でよい。また、間隙５を縮める場合には、その縮める量によって、間隙５の大きさを適宜設定すればよい。
【００１２】
スリット４の終端は、刃先１まで至らない箇所で、略円形状孔６となっている。略円形状孔６とは、角のない孔のことであって、具体的には円形又は楕円形のことである。角のある孔を終端とすると、間隙５を拡げ又は縮める場合に、角に亀裂が入りやすくなり、打ち抜き刃３の強度低下を起こすので、好ましくない。間隙５を縮める場合には、円形孔とするのが好ましい。これは、間隙５を縮める際に、打ち抜き刃３に負荷される応力が均一となる傾向があり、円形孔に亀裂等が生じにくくなるからである。また、間隙５を拡げる場合には、打ち抜き方向が短軸となっている楕円形孔（すなわち、拡げる方向が長軸となっている楕円形孔）であるのが好ましい。これも、間隙５を拡げる際に、打ち抜き刃３に負荷される応力が均一となる傾向があり、楕円形孔に亀裂等が生じにくくなるからである。
【００１３】
図４は、従来の略四辺形の打ち抜き刃３に、本発明に係る工夫を施し、スリット４の間隙５を拡げ又は縮めることにより、刃先１を所望の曲線Ａとしたものである。刃先１を所望の曲線Ａとすることにより、背２も同様の曲線Ａを描くことになる。この状態では、刃先１は、金属の塑性によって所望の曲線Ａを形成しているが、完全に固定されていないため、打ち抜き刃３として使用を繰り返すことができない。したがって、図５に示したような受下駄７を背２に合致させる。受下駄７の具体例としては、打ち抜き刃３と略同一の長さを持ち、一方の長辺は、背２に形成された曲線Ａと同一の曲線Ａを持っており、他方の長辺は直線となっているものが用いられる。また、受下駄７も、打ち抜き刃３と同様の金属製であるのが好ましい。受下駄７の曲線Ａを、打ち抜き刃３の背２の曲線Ａに合致させた後、図６に示すように、適宜の箇所８，８・・・を溶接により固定する。溶接の箇所８，８・・・は任意であるが、一般的には、両端を溶接し、その間を適宜の間隔で溶接すればよい。以上のようにして、刃先１に曲線Ａが形成されてなる、繰り返し使用可能な打ち抜き刃３が得られるのである。
【００１４】
また、本発明に係る打ち抜き刃３は、刃先１が湾曲して曲線Ａが形成されているだけでなく、さらに刃先１を長辺方向（打ち抜き方向に対して直交する方向）に湾曲させて曲線Ｂを形成してもよい。これによって、端縁が三次元的な複雑な曲線を持つ食品用トレイをも、その形状を維持したまま、打ち抜くことが可能となる。
【００１５】
この打ち抜き刃３を使用する一般例としては、図７に示したとおりである。まず、本発明に係る打ち抜き刃３を、打ち抜き台１２に埋め込む。打ち抜き台１２としては、木製板等が用いられ、これに溝を設けて、この溝に打ち抜き刃３を差し込んで固定すればよい。このようにして、打ち抜き刃３が設けられた打ち抜き台１２を準備する。一方、打ち抜き刃３の刃先１の曲線Ａと合致する曲面を備えた受け台１３を準備する。そして、打ち抜き台１２の打ち抜き刃３と、受け台１３とを対向させ、受け台１３上に複数個の食品用トレイ等が鍔部で連結された成形品１１を載置する。この成形品１１の少なくとも鍔部は、受け台１３の曲面に合致するような成形部を備えた形態に成形されているので、受け台１３に密着して載置される。そして、打ち抜き台１２を受け台１３側に移動させ、打ち抜き刃１を受け台１３の曲面に押圧する。これによって、成形品１１の鍔部は切断され、当初の成形部を備えた状態で、打ち抜かれる。したがって、成形品１１が複数個の食品用トレイが連結されたものである場合、その端縁がトレイの高さ方向に湾曲している意匠性に優れた食品用トレイが得られるのである。
【発明の効果】
【００１６】
本発明に係る打ち抜き刃は、従来の略四辺形の打ち抜き刃を用いて、一品生産的に、刃先を所望の曲線Ａとなし得るものである。したがって、どのような形状の曲線Ａであっても、要求に応じて作成することができ、しかも、特別な研削機を必要とすることがない。よって、合理的に、所望の曲線Ａを備えた刃先を持つ打ち抜き刃を得ることができるという効果を奏する。
【００１７】
また、刃先を所望の曲線Ａとなした本発明に係る打ち抜き刃を用いて、複数個の食品用トレイ等が鍔部で連結した成形品を打ち抜けば、トレイ等の鍔部が、その高さ方向に湾曲した形状に成形されていても、その形状を鍔部の端縁まで維持した状態で、打ち抜くことができる。したがって、本発明に係る打ち抜き刃を用いて得られた食品用トレイ等は、鍔部の端縁も湾曲した形状となっており、意匠性に優れた食品用トレイ等を得ることができるという効果を奏する。
【産業上の利用可能性】
【００１８】
以上、主として、本発明に係る打ち抜き刃を用いて、食品用トレイを打ち抜く場合について説明した。しかしながら本発明に係る打ち抜き刃は、食品用トレイのみに適用されるもはのではなく、自動車のボデー内張りや、空気調和機のドレインパン等の各種成型物品に対しても適用しうるものであることは、言うまでもない。さらに、成型物品以外の物品に対して適用しても差し支えない。
【図面の簡単な説明】
【００１９】
【図１】従来の打ち抜き刃を備えた打ち抜き台の一例を示す図であって、（ａ）はその側面図であり、（ｂ）はその底面図である。
【図２】刃先が湾曲し曲線Ａを形成している打ち抜き刃を備えた打ち抜き台の一例を示す側面図である。
【図３】本発明の一例に係る打ち抜き刃の正面図である。
【図４】本発明の一例に係る打ち抜き刃において、刃先に曲線Ａを形成させた状態を示した正面図である。
【図５】図４に示した状態の打ち抜き刃を固定するために、打ち抜き刃の背に受下駄を合致させた状態を示す正面図である。
【図６】図５に示した状態において、打ち抜き刃の背と受下駄を溶接した状態を示す正面図である。
【図７】本発明の一例に係る打ち抜き刃を用いて、成形品を打ち抜くときの一例を示す正面図である。
【符号の説明】
【００２０】
１      打ち抜き刃の刃先
２      打ち抜き刃の背
３      打ち抜き刃
４      スリット
５      スリットの間隙
６      略円形状孔
７      受下駄
８      溶接箇所
１１    打ち抜かれる成形品
１２    打ち抜き台
１３    受け台
【図１】
2006015445.tif 000003
【図２】
2006015445.tif 000004
【図３】
2006015445.tif 000005
【図４】
2006015445.tif 000006
【図５】
2006015445.tif 000007
【図６】
2006015445.tif 000008
【図７】
2006015445.tif 000009